(57)【要約】      （修正有）【課題】様々なデザインのメガネフレームに取り付け可能なビデオカメラを提供する。【解決手段】撮像レンズ１３０を有するカメラ本体１００と、撮像レンズ１３０がメガネフレームＦの視野方向と同一方向に向くようにカメラ本体１００をメガネフレームＦに取り付け可能な締付バンド２００と、を備え、締付バンド２００は、カメラ本体１００の上面から下面に至るまで、カメラ本体１００の外周面に沿って配置されていることを特徴とする構成となっている。【選択図】図１
0003211907.tif 000002
【実用新案登録請求の範囲】
【請求項１】
撮像レンズを有するカメラ本体と、
前記撮像レンズがメガネフレームの視野方向と同一方向に向くように前記カメラ本体を前記メガネフレームに取り付け可能な締付バンドと、を備え、
前記締付バンドは、前記カメラ本体の上面から下面に至るまで、前記カメラ本体の外周面に沿って配置されていることを特徴とする、ビデオカメラ。
【請求項２】
前記カメラ本体は、前記メガネフレーム側に配置される内側ケースと、
前記メガネフレームの反対側に配置される外側ケースと、を有し、
前記内側ケースと前記外側ケースの間には、前記締付バンドが挿通される挿通孔が形成されていることを特徴とする、請求項１に記載のビデオカメラ。
【請求項３】
前記締付バンドは、開口部を有した環状の弾性材料により形成されており、
前記内側ケースは、前記開口部に挿通されていることを特徴とする、請求項２に記載のビデオカメラ。
【請求項４】
前記内側ケースには、前記締付バンドが嵌合される凹部が形成されていることを特徴とする、請求項２または請求項３に記載のビデオカメラ。
【請求項５】
前記カメラ本体は、使用者が前記外側ケースに接触したことを感知するセンサーを有していることを特徴とする、請求項２〜４の何れかに記載のビデオカメラ。
【請求項６】
前記撮像レンズは、前記カメラ本体の一端側に配置されており、
前記撮像レンズが設けられた一端側の方向を前方向、他端側の方向を後方向としたとき、前記締付バンドは、前記カメラ本体の前方向寄りと後方向寄りに、それぞれ設けられていることを特徴とする、請求項１〜５の何れかに記載のビデオカメラ。
【考案の詳細な説明】
【技術分野】
【０００１】
本考案は、メガネフレームに取り付け可能なビデオカメラに関する。
【背景技術】
【０００２】
従来、撮影者がカメラ本体を手で持つことなく、ハンズフリーでの撮影を行うことができるカメラ機器が各種提案されている。
【０００３】
例えば、撮影用レンズがメガネフレームの視野方向と同一方向に向くようにメガネフレームに取り付けられるカメラ部を有したカメラ付きビデオ装置が知られている。（特許文献１）
【先行技術文献】
【特許文献】
【０００４】
【特許文献１】実開１９９２−４３０７１号公報
【考案の概要】
【考案が解決しようとする課題】
【０００５】
ところで、近年では、様々なデザインのメガネフレームが市販されており、メガネフレームのデザインによって、フレーム形状（例えば、テンプルの厚さや幅等）が大きく異なる。
【０００６】
そのため、ビデオカメラを好ましい状態でメガネフレームに取り付けるためには、様々な形状のフレームに適用可能な取り付け手段を採用する必要がある。
【０００７】
特許文献１には、取り付け手段として、弾性体からなる「Ｌ」字状の係合部分が相対したフックが示されているが、取り付け可能なフレームは、フックの形状と一致するものに限られてしまう。すなわち、係合部分同士の間隔や係合部分の突出距離により、対応可能なメガネフレームのデザインが限られてきてしまう。
【０００８】
そこで、本考案は、様々なデザインのメガネフレームに取り付け可能なビデオカメラを提供することを課題とする。
【課題を解決するための手段】
【０００９】
上記課題を解決するため、本考案に係るビデオカメラは、撮像レンズを有するカメラ本体と、前記撮像レンズがメガネフレームの視野方向と同一方向に向くように前記カメラ本体を前記メガネフレームに取り付け可能な締付バンドと、を備え、
前記締付バンドは、前記カメラ本体の上面から下面に至るまで、前記カメラ本体の外周面に沿って配置されていることを特徴とする。
【００１０】
本考案に係るビデオカメラによれば、締付バンドがカメラ本体の上面から下面に至るまで、カメラ本体の外周面に沿って配置されていることにより、デザインの異なる様々な形状のテンプルを挿通することができ、カメラ本体に固定することができる。
【００１１】
本考案の好ましい形態では、前記カメラ本体は、前記メガネフレーム側に配置される内側ケースと、前記メガネフレームの反対側に配置される外側ケースと、を有し、
前記内側ケースと前記外側ケースの間には、前記締付バンドが挿通される挿通孔が形成されていることを特徴とする。
このように、内側ケースと外側ケースの間に形成された挿通孔に、締付バンドを挿通する構成としたことにより、本考案に係るビデオカメラを容易に製造することができる。また、締付バンドが劣化した際には、内側ケースと外側ケースを分離するだけで、容易に締付バンドを交換することができる。
【００１２】
本考案の好ましい形態では、前記締付バンドは、開口部を有した環状の弾性材料により形成されており、前記内側ケースは、前記開口部に挿通されていることを特徴とする。
このように、環状の締付バンドに内側ケースを挿通する構成としたことにより、さらに容易に製造することができる。
【００１３】
前記内側ケースには、前記締付バンドが嵌合される凹部が形成されていることを特徴とする。
このように、内側ケースに締付バンドが嵌合する凹部を設けることにより、締付バンドの位置を、ビデオカメラの固定に好ましい位置に位置決めすることができる。
【００１４】
本考案の好ましい形態では、前記カメラ本体は、使用者が前記外側ケースに接触したことを感知するセンサーを有していることを特徴とする。
このような構成とすることにより、ビデオカメラの使用者は、外側ケースに触るだけで撮影を開始することができる。
【００１５】
本考案の好ましい形態では、前記撮像レンズは、前記カメラ本体の一端側に配置されており、前記撮像レンズが設けられた一端側の方向を前方向、他端側の方向を後方向としたとき、前記締付バンドは、前記カメラ本体の前方向寄りと後方向寄りに、それぞれ設けられていることを特徴とする。
このような構成とすることにより、撮像レンズがメガネフレームの視野方向と同一方向に向くよう、カメラ本体を固定することができる。
【考案の効果】
【００１６】
本考案は、様々なデザインのメガネフレームに取り付け可能なビデオカメラを提供することができる。
【図面の簡単な説明】
【００１７】
【図１】本考案の一実施形態に係るビデオカメラの使用状態を示す斜視図である。
【図２】本考案の一実施形態に係るビデオカメラの使用状態を示す側面図である。
【図３】本考案の一実施形態に係るビデオカメラの分解斜視図である。
【図４】本考案の一実施形態に係るビデオカメラの斜視図である。
【図５】本考案の一実施形態に係るビデオカメラの縦断面図である。
【図６】本考案の一実施形態に係るビデオカメラの締付バンドの正面図である。
【考案を実施するための形態】
【００１８】
以下、本考案を図面に示した好ましい一実施形態について、図１〜図６を用いて詳細に説明する。本考案の技術的範囲は、添付図面に示した実施形態に限定されるものではなく、実用新案登録請求の範囲に記載された範囲内において、適宜変更が可能である。
【００１９】
図１は、メガネフレームＦのテンプルＦ１の側面に、本考案に係るビデオカメラＶを取付けた状態を示す斜視図である。
なお、本明細書において定義されるビデオカメラＶの上下（高さ）方向、左右（幅）方向、前後（奥行）方向を図１に図示する。図示のように、ビデオカメラＶにおける上下（高さ）方向、左右（幅）方向、前後（奥行）方向はそれぞれが互いに直交している。
【００２０】
図２は、図１に示したビデオカメラＶ及びテンプルＦ1の側面図であり、図２（ａ）は右側方向から見た側面図を、図２（ｂ）は左側方向から見た側面図を、それぞれ示している。
【００２１】
本考案に係るビデオカメラＶは、撮像レンズ１３０を有するカメラ本体１００と、撮像レンズ１３０がメガネフレームＦの視野方向（前方向）と同一方向に向くようにカメラ本体１００をメガネフレームＦに取り付け可能な締付バンド２００と、を備えている。
【００２２】
そして、締付バンド２００は、カメラ本体１００の上面１０１（出発点）から下面１０２（終着点）に至るまで、カメラ本体１００の左側側面１０３（内側ケース１１０の外周面、又は、カメラ本体１００の片側面）に沿って配置されており、カメラ本体１００と締付バンド２００との間に、メガネフレームＦが挿通されることで、ビデオカメラＶがメガネフレームＦに固定されている（図２参照）。
【００２３】
図３は、本考案に係るビデオカメラＶの分解斜視図を示している。
カメラ本体１００は、メガネフレームＦ側に配置される内側ケース１１０と、メガネフレームＦの反対側に配置される外側ケース１２０と、撮像レンズ１３０に接続される制御基板１４０と、この制御基板１４０に電気を供給するバッテリー１５０と、を有している。
【００２４】
内側ケース１１０には、締付バンド２００が嵌り込む凹部１１１と、撮像レンズ１３０が嵌め込まれる枠部１１２と、制御基板１４０に設けられる出入力端子１４１を露出する端子用露出口１１３と、制御基板１４０に設けられる記録媒体挿入口１４２を露出する記録媒体用露出口１１４と、が形成されている。
また、内側ケース１１０の外周面には、メガネフレームＦと密着するゴムシートを設けてもよい。このようにゴムシートを設けることで、摩擦により、ビデオカメラＶの方向が容易に変わってしまうことを抑制することができる。
【００２５】
外側ケース１２０には、内側ケース１１０の凹部１１１と結合する凸部１２１と、撮像レンズ１３０が嵌め込まれる枠部１２２と、が形成されている。
また、内側ケース１１０と外側ケース１２０の間には、締付バンド２００が挿通される挿通孔３００が形成されている。図１ないし図４においては、凹部１１１よりも凸部１２１を短く構成することで、挿通孔３００を形成した様子を示しているが、これに限られず、別途溝等を設けて挿通孔を形成してもよい。
【００２６】
制御基板１４０は、ＵＳＢ（Universal Serial Bus）等が接続可能でありバッテリー１５０への電気の供給やパソコン等とのデータの送受信に用いられる出入力端子１４１と、マイクロＳＤカード等の記録媒体を挿入可能な記録媒体挿入口１４２と、制御基板１４０への入力を行うセンサー１４３と、を有している。
【００２７】
センサー１４３は、外側ケース１２０の外周面に着用者の手が接触したことを感知するタッチセンサーであり、例えば、静電容量式のタッチセンサーを例示することができる。
図３に示したセンサー１４３は、外側ケース１２０の内周面側に配置されるバネ状の電極と、外側ケース１２０の外周面に接触した人体（指先）との間の静電容量を検知することにより、タッチ状態か否かを感知している。そのため、使用者が外側ケース１２０を触ることで、ビデオカメラＶの撮影を開始したり終了する操作を行うことができる。
【００２８】
また、このセンサー１４３としては、既存のタッチ式自動ドア等と同様の構造を採用することが可能であり、金属部が人間の皮膚に接触することでオンオフを行うタッチセンサーや接触センサー、外側ケース１２０を押さえたことによる位置変位や圧力を感知するセンサー、外側ケース１２０の表面に露出する機械式スイッチ等、慣用のセンサーを代用することも当然に可能である。
【００２９】
バッテリー１５０は、配線１５１により制御基板１４０と接続されており、出入力端子１４１から供給される電気を蓄えられるよう構成されている。
【００３０】
カメラ本体１００は、着用者にビデオカメラＶの動作状況を伝える発光手段及び／又は発音手段を、さらに備えることが望ましい。
発光手段は、例えば、ＬＥＤ等をカメラ本体１００の装着者の視界に入る位置に配置し、ＬＥＤの発光パターンやＬＥＤの色等を表示することにより、撮影中であるか否か等のビデオカメラＶの動作状況を表示することができる。
この発光手段は、図には示していないが、着用者のみが視認できるよう、内側ケース１１０の前方向寄りに配置されていることが望ましい。
【００３１】
発音手段は、例えば、スピーカーをカメラ本体１００内部に配置して、発音パターンや音色によって、ビデオカメラＶの動作状況を着用者に伝えることができる。この発音手段は、着用者のみに音声が聞こえるよう、スピーカーを着用者の耳に近い位置、すなわち、内側ケース１１０の後方向寄りに配置されていることが望ましい。
【００３２】
締付バンド２００は、図３及び図６に示す様に、開口部２０１が形成された環状に形成されており、この開口部２０１に内側ケース１１０が挿通されている。そして締付バンド２００は、内側ケース１１０の凹部１１１に嵌り込むことで、位置決めされている。
また、この締付バンド２００は、例えばゴム等の可撓性を有する弾性材料により形成されていることが望ましい。締付バンド２００を弾性材料で形成することにより、メガネフレームＦとの接触面での摩擦力を高めて、ビデオカメラＶが容易に移動してしまわないよう構成されている。
【００３３】
また、この締付バンド２００は、透明のゴムバンドであることが望ましい。このように、透明な締付バンド２００を採用することにより、本来のメガネフレームＦのデザインを損なうことなく取り付けることができる。
また、締付バンド２００として、環状のものを例示したが、両端を有する帯状のベルトを、貫通孔３００に固定する構成を採用することも当然に可能である。
【００３４】
また、図１ないし図４においては、この締付バンド２００は、カメラ本体１００の前方向寄りと後方向寄りに、二か所設けた様子を示した。このように、前後方向にそれぞれ締付バンド２００を設けることにより、テンプルＦ１の軸方向に沿って、カメラ本体１００を固定することができる。その結果、カメラ本体１００の一端側に配置された撮像レンズ１３０は、メガネフレームＦの視野方向と同一方向に向くよう固定することができる。
なお、この締付バンド２００は、二か所以上設けても良いし、テンプルＦ１の軸方向に沿ってある程度長さを有する締付バンドを採用する場合には、締付バンドを一か所に設けた場合であっても、視野方向と同一方向に向くよう固定することが可能である。
【００３５】
図４は、本考案に係るビデオカメラＶを完成させた状態の斜視図を示しており、図４（ａ）は上方から見た斜視図を、図４（ｂ）は下方から見た斜視図をそれぞれ示している。
図５は、図４（ａ）のＡ−Ａ断面図を示しており、図６は締付バンド２００の正面図を示している。
この図５には、環状に形成された締付バンド２００の開口部２０１に、内側ケース１１０が挿通され、内側ケース１１０のＡ−Ａ断面の周囲を囲うように締付バンド２００が配置されている様子が示されている。
【００３６】
本考案に係るビデオカメラＶによれば、弾性材料により形成された締付バンド２００が、カメラ本体１００の上面１０１から下面１０２に至るまで、カメラ本体１００の外周面に沿って配置されていることにより、様々なデザインの異なるメガネフレームＦに取り付けることができる。
すなわち、弾性材料の締付バンド２００がカメラ本体１００のほとんど一側面側を覆う形で配置されているため、厚さや幅の長さが異なる様々なメガネフレームＦを挿通させることができ、カメラ本体１００をメガネフレームＦに固定することができる。
【００３７】
また、本考案に係るビデオカメラＶによれば、カメラ本体１００が内側ケース１１０と外側ケース１２０とで形成され、これらの間に締付バンド２００を挿通する簡単な構成であるため、本考案に係るビデオカメラＶを容易に製造することができる。
また、締付バンド２００が劣化した際には、内側ケース１１０と外側ケース１２０を分離するだけで、容易に締付バンド２００を交換することができ、メンテナンス性にも優れる。
【００３８】
また、本考案に係るビデオカメラＶによれば、内側ケース１１０に締付バンド２００が嵌合される凹部１１１を形成することにより、締付バンド２００が容易に移動しないようにすることができ、固定に好ましい位置に締付バンド２００を位置決めすることができる。
すなわち、メガネフレームＦにビデオカメラＶの装着を行う際には、内側ケース１１０と締付バンド２００の間に、テンプルＦ１の先端から基端方向むかって挿入する必要があり、取り外す際には、テンプルＦ１の基端から先端方向に向かって移動させる必要がある。このとき、締付バンド２００が弾性材料で形成されているため、テンプルＦ１との摩擦により締付バンド２００が好ましい位置から移動してしまう恐れがある。そこで、内側ケース１１０の凹部１１１に締付バンド２００を嵌合することにより、締付バンド２００を好ましい位置に固定することができる。
【符号の説明】
【００３９】
Ｖ  ビデオカメラ
１００  カメラ本体
１１０  内側ケース
１１１  凹部
１２０  外側ケース
１２１  凸部
１３０  撮像レンズ
１４０  制御基板
１５０  バッテリー
２００  締付バンド
３００  挿通孔
Ｆ  メガネフレーム
Ｆ１  テンプル
【図１】
0003211907.tif 000003
【図２】
0003211907.tif 000004
【図３】
0003211907.tif 000005
【図４】
0003211907.tif 000006
【図５】
0003211907.tif 000007
【図６】
0003211907.tif 000008